(57)【要約】【課題】簡単な構造で水生植物の種子又は苗が潮流等によって流されるのを防止できるとともに水生植物の地下茎が成長し伸長する時期以降にはおいては、それを阻害しない水生植物植栽用容器の提供を課題とする。【解決手段】筒胴壁部の複数個所を開口して形成した開口空間を有する竹筒の複数本を並列して組んだ筏状構造体と、該筏状構造体に付設した錘部材とからなることを特徴とする水生植物植栽用容器。【選択図】図１
0003165866.tif 000002
【実用新案登録請求の範囲】
【請求項１】
海や河川の底に沈設して水生植物を植栽するために使用され、筒胴壁部の複数個所を開口して形成した開口空間を有する竹筒の複数本を並列して組んだ筏状構造体と、該筏状構造体に付設した錘部材とからなることを特徴とする水生植物植栽用容器。
【請求項２】
前記錘部材はコンクリートブロック、岩石、鋼材のいずれか一つ、または二つ以上の組み合せからなる請求項１に記載の水生植物植栽用容器。
【考案の詳細な説明】
【技術分野】
【０００１】  本考案は、海や河川の底に沈設して水生植物を植栽する容器に関する。
【背景技術】
【０００２】  近年、沿海や河川流域において水生植物の衰退による環境破壊や漁獲量減少が深刻な問題となっている。その対策として、海底においてはアマモなど海藻類の人工植栽が行われている。海中種子植物として代表的なアマモなどは浅い海の砂地地盤に生育する稲に似た植物であり、地下茎や種子によって増殖して砂中に根をはることにより砂の侵食を防止する。また、このアマモ類の群生地は各種魚介類の産卵場所や稚魚の成育場所となっており、海洋牧草地として重要な機能を担っている。また、河川流域においてもヨシ、ガマなどの人工植栽が行われている。【０００３】  海・河川において水生植物を群生させようとする場合、潮流、水流など流れにより水生植物の苗や種子が流出してしまう問題が生じる。このような問題の解決を目的として、特許文献１では上面が開口したコンクリート製のプランター本体と、土や砂や岩石などの植栽ベースと、該植栽ベースの少なくとも上表面を覆うネットを備えたことを特徴とする藻草育成プランターが提示されている。また、特許文献２では、水生植物の種又は苗が海流等によって流されるのを十分防止でき、植栽後、水生植物の地下茎もしくは根の伸長が阻害されることを十分防止できる自己崩壊性ブロックを提供している。
【先行技術文献】
【０００４】
【特許文献１】特開２００２−３３０６５２号公報
【０００５】
【特許文献２】特開２０１０−１３０９５２号公報
【考案の概要】
【考案が解決しようとする課題】
【０００６】  アマモなどに代表される海藻類の多くは、種子の発芽によるものに加えて地下茎が地下で伸長してその分布域を繁茂拡大するものが多い。このような海藻類を生育・繁茂させようとする場合、前記文献１で提案するコンクリート製容器体では、その材質がコンクリートであるから、種付け又は植栽された海藻類は地下茎の成長は容器内に限定され、大きく生育域を拡大することは期待できない。また、海中、水中でコンクリート製の容器体を大量に使用することは人工物質を自然に持ち込むという観点からも望ましいことではない。【０００７】  また、前記文献２に提案する自己崩壊性ブロックは、自己崩壊性により水生植物の地下茎もしくは根の伸長が阻害されることを十分防止できるという利点がある。しかし自己崩壊性ブロックはアスファルト、骨材を成分とする人工物質を主体とするものであるという点で文献１と同じ問題を抱えている。【０００８】  本考案は、このような実情に鑑みてなされたものであり、水生植物植栽用容器としてコンクリート材など人工物質の使用を出来るだけ抑えながら、簡単な構造と安価な材料で水生植物の種子又は苗が潮流等によって流されるのを防止できること、さらに水生植物の地下茎が成長し伸長する時期以降にはおいては、それを阻害しない水生植物植栽用容器の提供を課題とする。
【課題を解決するための手段】
【０００９】  本考案に係る水生植物植栽用容器は、海や河川の底に沈設して水生植物を植栽するために使用され、筒胴壁部の複数個所を開口して形成した開口空間を有する竹筒の複数本を並列して組んだ筏状構造体と、該筏状構造体に付設した錘部材とからなることを特徴とし、（請求項１）【００１０】  また、本考案の水生植物植栽用容器は、前記錘部材はコンクリートブロック、岩石、鋼材のいずれか一つ、または二つ以上の組み合せからなることを特徴とする。（請求項２）
【考案の効果】
【００１１】  本考案によれば、水生植物植栽用容器として竹筒を主体として使用しているからコンクリート材と異なり、水中で数年の経過とともに腐食崩壊し消失する。水中で腐食崩壊し消失することから水生植物の地下茎の伸長が進み、底地に広く根付くことが可能になる。さらに、竹筒は日本において広く自生している植物であり、安価に多量に入手できるから大規模に海藻類の再生・繁茂に利用できる利点は大きい。
【図面の簡単な説明】
【００１２】
【図１】本考案の実施例１の斜視図である。
【図２】本考案の実施例１の側面図である。
【図３】本考案の実施例２の斜視図である。
【図４】本考案の実施例３の斜視図である。
【図５】本考案の実施例４の斜視図である。
【図６】本考案の実施例１を使用する状態の説明図である。
【考案を実施するための最良の形態】
【００１３】  以下、図面を参照しつつ本考案に係る水生植物植栽用容器の好適な実施形態について詳細に説明する。なお、以下の説明では、同一又は相当部分には同一符号を付し、重複する説明は省略する。
【実施例】
【実施例１】
【００１４】  図１は本考案の植栽用容器１０の斜視図である。開口部２を具備する竹筒１の８本を並列にし、その両端部付近を鋼製ボルト３で串刺しにして組み筏状構造体としたもので、鋼製ボルト３の各両端部には立方体のコンクリートブロック４が付設されている。このコンクリートブロック４は、錘部材として付設されているものである。コンクリートブロック４はナット３ａにより締付け固定されている。このナット３ａによる固定の代わりに鋼製ボルト３の両端を鉤形状にしてコックリートブロック４内に埋設し固定しても良い。【００１５】  竹筒１は、筒胴壁部２ｂにおいて開口部２を設けてできる開口空間２ｃを具備している。開口空間２ｃとは、筒胴壁部２ｂの内壁と竹節２ａとの間に出来る内部空間であり、上部は開口部２により開放さている空間である。竹筒１に設けた複数の開口空間２ｃが、水生植物を植栽又は種子の播種を行う容器となる。本考案では、複数の開口空間２ｃを具備する竹筒を並列して筏状構造体としているから、水生植物の株、又は種子を多く植栽、播種できる開口空間（植栽容器となる）が面状に多く形成できる利点を有している。【００１６】  このコンクリートブロック４は、本考案の水生植物植栽用容器を海底又は川底に沈設するための錘部材として付設されるものである。さらに錘部材は水生植物植栽用容器が沈設された後も、潮流や水流に流されないように地底に固定する役割を持っている。【００１７】  図２は、水生植物植栽用容器１０の側面図である。筏状構造に組まれた竹筒１の開口部２は、全て上面側に設けられている。図２の下部に示す断面図は、竹筒１の筒胴壁部２ｂを長手方向に対して直角に輪切り（切断線ＡＡ）したものである。前記したように、開口空間２ｃは、開口部２と筒胴壁部２ｂと竹節２ａにより構成される。
【実施例２】
【００１８】  図３は、８本の竹筒１を長尺矩形のコンクリートブロック４に載せて筏状構造体とした水生植物植栽用容器の斜視図である。各竹筒１は、長尺矩形のコンクリートブロック４の上面に垂直に立設された鋼製ボルト３とナット３ａの締付けにより固定されている。長尺矩形のコンクリートブロック４は、錘部材として付設されたものである。
【実施例３】
【００１９】  図４は、竹筒１を実施例１と同じように鋼製ボルト３の串刺しにより筏状構造体としたものであるが、錘部材としてのコンクリートブロック４は最外側の竹筒１内に充填して固化して付設されている。竹筒１内のコンクリートブロック４は、竹筒１の開口部２から混練コンクリートを注入固化して形成したものである。
【実施例４】
【００２０】  図５は、竹筒１をＣチャンネル鋼材（溝形鋼材）５の上面に載せて筏状構造体としたものである。本実施例では、竹筒１の両端近傍に加え中間部にもＣチャンネル鋼材５を付設している。さらに錘部材としての重さを大きくするために、筏状構造体の両側端部の竹筒１内にコンクリートブロック４を付設している。潮流が激しい場所に沈設する水生植物植栽用容器の場合は、このように錘部材を併用することにより容易に錘効果を大きくすることができる。【００２１】図６は、実施例１の水生植物植栽用容器１０に土砂６を詰めてアマモ苗７を植栽した状態を示す説明図である。このように複数の開口空間を形成している各竹筒を筏状構造体とすることにより多くの水生植物を植栽することができる。このように水生植物を植栽した水生植物植栽用容器１０を、海底や川底に多数並べて沈設することにより大面積にわたり水生植物を人工植栽できる。【００２２】
【符号の説明】
【００２３】１  ・・竹筒
２  ・・開口部
２ａ・・竹節
２ｂ・・筒胴壁部
２ｃ・・開口空間
３  ・・鋼製ボルト
３ａ・・ナット
４  ・・コンクリートブロック
５  ・・Ｃチャンネル鋼材（溝形鋼材）
６  ・・土砂
７  ・・アマモ苗
１０・・水生植物植栽用容器
【図１】
0003165866.tif 000003
【図２】
0003165866.tif 000004
【図３】
0003165866.tif 000005
【図４】
0003165866.tif 000006
【図５】
0003165866.tif 000007
【図６】
0003165866.tif 000008